(57)【要約】  本発明は、移動局と、自局のセルに存在する移動局との間で無線信号を通信する複数の基地局と、を有する無線通信システムに適用される。本発明の無線通信システムにおいては、複数の基地局の各々は、通信中の移動局から受信した無線信号に干渉信号が含まれる場合に、該干渉信号に設定されている、該干渉信号の発信元の基地局のＩＰアドレスを検出する基地局側制御手段を有する。
2010106836.tif 000002
【特許請求の範囲】
【請求項１】
移動局と、自局のセルに存在する移動局との間で無線信号を通信する複数の基地局と、を有してなる無線通信システムであって、
前記複数の基地局の各々は、
通信中の移動局から受信した無線信号に干渉信号が含まれる場合に、該干渉信号に設定されている、該干渉信号の発信元の基地局のＩＰアドレスを検出する基地局側制御手段を有する、無線通信システム。
【請求項２】
前記基地局側制御手段は、
前記検出したＩＰアドレスを基に、干渉信号の発信元の基地局との間で、自局の通信パラメータを互いに通知する、請求項１に記載の無線通信システム。
【請求項３】
前記基地局側制御手段は、
干渉信号の発信元の基地局との間で、以前に自局でＩＰアドレスを検出した基地局の通信パラメータも互いに通知する、請求項２に記載の無線通信システム。
【請求項４】
移動局と、自局のセルに存在する移動局との間で無線信号を通信する複数の基地局と、を有してなる無線通信システムであって、
前記移動局は、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信する移動局側制御手段を有し、
前記複数の基地局の各々は、
通信中の移動局から送信されてきた、干渉信号の発信元の基地局のＩＰアドレスの情報を受信する基地局側制御手段を有する、無線通信システム。
【請求項５】
前記基地局側制御手段は、
前記検出したＩＰアドレスを基に、干渉信号の発信元の基地局との間で、自局の通信パラメータを互いに通知する、請求項４に記載の無線通信システム。
【請求項６】
前記基地局側制御手段は、
干渉信号の発信元の基地局との間で、以前に移動局からＩＰアドレスの情報を受信した基地局の通信パラメータも互いに通知する、請求項５に記載の無線通信システム。
【請求項７】
前記基地局側制御手段は、
無線信号に設定する自局のＩＰアドレスを暗号化し、
前記移動局側制御手段は、
干渉信号の発信元の基地局の暗号化されたＩＰアドレスの情報を通信中の基地局に転送し、
前記基地局側制御手段は、
通信中の移動局から送信されてきた、干渉信号の発信元の基地局の暗号化されたＩＰアドレスの情報を受信し、該ＩＰアドレスの情報を復号して取得する、請求項４から６のいずれか１項に記載の無線通信システム。
【請求項８】
前記基地局側制御手段は、
通信パラメータを暗号化して互いに通知し、
通知された通信パラメータを復号して取得する、請求項１から７のいずれか１項に記載の無線通信システム。
【請求項９】
前記基地局側制御手段は、
干渉信号の発信元の基地局との間で互いに通知する通信パラメータに位置情報を含めることとし、
干渉信号の発信元の基地局との間で、当該基地局から一定範囲内に存在する基地局の通信パラメータも互いに通知する、請求項２または５に記載の無線通信システム。
【請求項１０】
前記基地局側制御手段は、
干渉信号の発信元の基地局から通知された通信パラメータを表すマップを生成する、請求項３，６または９に記載の無線通信システム。
【請求項１１】
前記基地局側制御手段は、
所定のタイミングで、前記マップに基づいて、自局の通信パラメータを変更してセルを再構成する、請求項１０に記載の無線通信システム。
【請求項１２】
前記基地局側制御手段は、
セルを再構成する場合、再構成前の旧セルに存在する移動局に対し、再構成後の新セルの通信パラメータを通知する、請求項１１に記載の無線通信システム。
【請求項１３】
前記基地局側制御手段は、
前記移動局に対し、再構成後の新セルの通信パラメータとして、候補周波数を複数通知するとともに、該複数の候補周波数の各々の優先順位を通知する、請求項１２に記載の無線通信システム。
【請求項１４】
前記基地局側制御手段は、
前記移動局に対し、再構成後の新セルの通信パラメータとして、ＭＢＭＳの情報を通知する、請求項１２または１３に記載の無線通信システム。
【請求項１５】
自局のセルに存在する移動局との間で無線信号を通信する基地局であって、
通信中の移動局から受信した無線信号に干渉信号が含まれる場合に、該干渉信号に設定されている、該干渉信号の発信元の基地局のＩＰアドレスを検出する基地局側制御手段を有する、基地局。
【請求項１６】
前記基地局側制御手段は、
前記検出したＩＰアドレスを基に、干渉信号の発信元の基地局との間で、自局の通信パラメータを互いに通知する、請求項１５に記載の基地局。
【請求項１７】
前記基地局側制御手段は、
干渉信号の発信元の基地局との間で、以前に自局でＩＰアドレスを検出した基地局の通信パラメータも互いに通知する、請求項１６に記載の基地局。
【請求項１８】
自局のセルに存在する移動局との間で無線信号を通信する基地局であって、
通信中の移動局に送信した無線信号に干渉信号が含まれる場合に、通信中の移動局から送信されてきた、干渉信号の発信元の基地局のＩＰアドレスの情報を受信する基地局側制御手段を有する、基地局。
【請求項１９】
前記基地局側制御手段は、
前記検出したＩＰアドレスを基に、干渉信号の発信元の基地局との間で、自局の通信パラメータを互いに通知する、請求項１８に記載の基地局。
【請求項２０】
前記基地局側制御手段は、
干渉信号の発信元の基地局との間で、以前に移動局からＩＰアドレスの情報を受信した基地局の通信パラメータも互いに通知する、請求項１９に記載の基地局。
【請求項２１】
前記基地局側制御手段は、
通信中の移動局から送信されてきた、干渉信号の発信元の基地局の暗号化されたＩＰアドレスの情報を受信し、該ＩＰアドレスの情報を復号して取得する、請求項１８から２０のいずれか１項に記載の基地局。
【請求項２２】
前記基地局側制御手段は、
通信パラメータを暗号化して互いに通知し、
通知された通信パラメータを復号して取得する、請求項１５から２１のいずれか１項に記載の基地局。
【請求項２３】
前記基地局側制御手段は、
干渉信号の発信元の基地局との間で互いに通知する通信パラメータに位置情報を含めることとし、
干渉信号の発信元の基地局との間で、当該基地局から一定範囲内に存在する基地局の通信パラメータも互いに通知する、請求項１６または１９に記載の基地局。
【請求項２４】
前記基地局側制御手段は、
干渉信号の発信元の基地局から通知された通信パラメータを表すマップを生成する、請求項１７，２０または２３に記載の基地局。
【請求項２５】
前記基地局側制御手段は、
所定のタイミングで、前記マップに基づいて、自局の通信パラメータを変更してセルを再構成する、請求項２４に記載の基地局。
【請求項２６】
前記基地局側制御手段は、
セルを再構成する場合、再構成前の旧セルに存在する移動局に対し、再構成後の新セルの通信パラメータを通知する、請求項２５に記載の基地局。
【請求項２７】
前記基地局側制御手段は、
前記移動局に対し、再構成後の新セルの通信パラメータとして、候補周波数を複数通知するとともに、該複数の候補周波数の各々の優先順位を通知する、請求項２６に記載の基地局。
【請求項２８】
前記基地局側制御手段は、
前記移動局に対し、再構成後の新セルの通信パラメータとして、ＭＢＭＳの情報を通知する、請求項２６または２７に記載の基地局。
【請求項２９】
基地局との間で無線信号を通信する移動局であって、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信する移動局側制御手段を有する、移動局。
【請求項３０】
前記移動局側制御手段は、
干渉信号の発信元の基地局の暗号化されたＩＰアドレスの情報を通信中の基地局に転送する、請求項２９に記載の移動局。
【請求項３１】
移動局と、自局のセルに存在する移動局との間で無線信号を通信する複数の基地局と、を有してなる無線通信システムによる無線通信方法であって、
前記複数の基地局の各々が、通信中の移動局から受信した無線信号に干渉信号が含まれる場合に、該干渉信号に設定されている、該干渉信号の発信元の基地局のＩＰアドレスを検出するステップを有する無線通信方法。
【請求項３２】
移動局と、自局のセルに存在する移動局との間で無線信号を通信する複数の基地局と、を有してなる無線通信システムによる無線通信方法であって、
前記移動局が、通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信するステップと、
前記複数の基地局の各々が、通信中の移動局から送信されてきた、干渉信号の発信元の基地局のＩＰアドレスの情報を受信するステップと、を有する無線通信方法。
【請求項３３】
自局のセルに存在する移動局との間で無線信号を通信する基地局による無線通信方法であって、
通信中の移動局から受信した無線信号に干渉信号が含まれる場合に、該干渉信号に設定されている、該干渉信号の発信元の基地局のＩＰアドレスを検出するステップを有する無線通信方法。
【請求項３４】
自局のセルに存在する移動局との間で無線信号を通信する基地局による無線通信方法であって、
通信中の移動局に送信した無線信号に干渉信号が含まれる場合に、通信中の移動局から送信されてきた、干渉信号の発信元の基地局のＩＰアドレスの情報を受信するステップを有する無線通信方法。
【請求項３５】
基地局との間で無線信号を通信する移動局による無線通信方法であって、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信するステップを有する無線通信方法。
【発明の詳細な説明】
【技術分野】
【０００１】
本発明は、無線通信システム、基地局、移動局、無線通信方法に関する。
【背景技術】
【０００２】
最近の無線通信システムの中には、電波の届きにくい場所でも無線通信を可能とするために、そのような場所に、セル半径が１０ｍ程度と小さいフェムト（Femto）基地局と呼ばれる基地局を配置したものがある。【０００３】
ただし、基地局としてフェムト基地局を配置する場合、フェムト基地局のセル半径は小さいため、通常は、高密度に基地局を配置することになる。しかし、そのように配置する場合、基地局が、周辺基地局から受ける干渉が問題となる。【０００４】
基地局間の干渉を低減する方法として、特許文献１には、システム側で、測定チャネルの干渉を測定し、干渉の少ない周波数を基地局に割り当てる技術が開示されている。【０００５】
また、基地局間の干渉を低減する他の方法として、特許文献２には、基地局が、上位局から、周辺基地局が使用する拡散符号の情報を受信し、周辺基地局が使用する拡散符号以外の拡散符号、すなわち干渉が少ない拡散符号を選択する技術が開示されている。
【先行技術文献】
【特許文献】
【０００６】
【特許文献１】特表２０００−５０５２５１号公報
【特許文献２】特開２００７−２６６７８５号公報
【発明の概要】
【発明が解決しようとする課題】
【０００７】
上述した特許文献１，２に開示された技術によれば、基地局は、上位局から、周辺基地局や周辺基地局の通信パラメータ（周波数、拡散符号）を通知してもらうことができるため、通知された情報を基に基地局間の干渉を低減することができる。【０００８】
しかし、言い換えれば、基地局は、上位局がない場合、周辺基地局や周辺基地局の通信パラメータを通知してもらうことはできず、その結果、基地局間の干渉を低減することができないことになる。【０００９】
このことから、特許文献１，２に開示された技術は、最近、ＬＴＥ（Long  Term  Evolution）等で提案されている、上位局（制御局）の機能を各基地局に縮退させ、上位局をなくした形態の無線通信システムには適用することができない。【００１０】
そこで、本発明の第１の目的は、基地局が、上位局を介さずに、周辺基地局を検出することができる無線通信システム、基地局、移動局、無線通信方法を提供することにある。【００１１】
また、本発明の第２の目的は、基地局が、上位局を介さずに、周辺基地局の通信パラメータを検出して、干渉の少ない通信パラメータを知ることができる無線通信システム、基地局、移動局、無線通信方法を提供することにある。
【課題を解決するための手段】
【００１２】
本発明の第１の無線通信システムは、
移動局と、自局のセルに存在する移動局との間で無線信号を通信する複数の基地局と、を有してなる無線通信システムであって、
前記複数の基地局の各々は、
通信中の移動局から受信した無線信号に干渉信号が含まれる場合に、該干渉信号に設定されている、該干渉信号の発信元の基地局のＩＰアドレスを検出する基地局側制御手段を有する。【００１３】
本発明の第２の無線通信システムは、
移動局と、自局のセルに存在する移動局との間で無線信号を通信する複数の基地局と、を有してなる無線通信システムであって、
前記移動局は、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信する移動局側制御手段を有し、
前記複数の基地局の各々は、
通信中の移動局から送信されてきた、干渉信号の発信元の基地局のＩＰアドレスの情報を受信する基地局側制御手段を有する。【００１４】
本発明の第１の基地局は、
自局のセルに存在する移動局との間で無線信号を通信する基地局であって、
通信中の移動局から受信した無線信号に干渉信号が含まれる場合に、該干渉信号に設定されている、該干渉信号の発信元の基地局のＩＰアドレスを検出する基地局側制御手段を有する。【００１５】
本発明の第２の基地局は、
自局のセルに存在する移動局との間で無線信号を通信する基地局であって、
通信中の移動局に送信した無線信号に干渉信号が含まれる場合に、通信中の移動局から送信されてきた、干渉信号の発信元の基地局のＩＰアドレスの情報を受信する基地局側制御手段を有する。【００１６】
本発明の移動局は、
基地局との間で無線信号を通信する移動局であって、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信する移動局側制御手段を有する。【００１７】
本発明の第１の無線通信方法は、
移動局と、自局のセルに存在する移動局との間で無線信号を通信する複数の基地局と、を有してなる無線通信システムによる無線通信方法であって、
前記複数の基地局の各々が、通信中の移動局から受信した無線信号に干渉信号が含まれる場合に、該干渉信号に設定されている、該干渉信号の発信元の基地局のＩＰアドレスを検出するステップを有する。【００１８】
本発明の第２の無線通信方法は、
移動局と、自局のセルに存在する移動局との間で無線信号を通信する複数の基地局と、を有してなる無線通信システムによる無線通信方法であって、
前記移動局が、通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信するステップと、
前記複数の基地局の各々が、通信中の移動局から送信されてきた、干渉信号の発信元の基地局のＩＰアドレスの情報を受信するステップと、を有する。【００１９】
本発明の第３の無線通信方法は、
自局のセルに存在する移動局との間で無線信号を通信する基地局による無線通信方法であって、
通信中の移動局から受信した無線信号に干渉信号が含まれる場合に、該干渉信号に設定されている、該干渉信号の発信元の基地局のＩＰアドレスを検出するステップを有する。【００２０】
本発明の第４の無線通信方法は、
自局のセルに存在する移動局との間で無線信号を通信する基地局による無線通信方法であって、
通信中の移動局に送信した無線信号に干渉信号が含まれる場合に、通信中の移動局から送信されてきた、干渉信号の発信元の基地局のＩＰアドレスの情報を受信するステップを有する。【００２１】
本発明の第５の無線通信方法は、
基地局との間で無線信号を通信する移動局による無線通信方法であって、
通信中の基地局からから受信した無線信号に干渉信号が含まれる場合に、該干渉信号に設定されている、該干渉信号の発信元の基地局のＩＰアドレスを検出し、検出したＩＰアドレスの情報を通信中の基地局に送信するステップを有する。
【発明の効果】
【００２２】
本発明の第１の無線通信システムにおいては、複数の基地局の各々は、通信中の移動局から受信した無線信号に含まれる干渉信号の発信元のフェムト基地局のＩＰアドレスを検出する。【００２３】
また、本発明の第２の無線通信システムにおいては、移動局は、通信中の基地局から受信した無線信号に含まれる干渉信号の発信元の基地局のＩＰアドレスを検出し、通信中の基地局に通知する。【００２４】
そのため、複数の基地局の各々は、上位局を介さなくても、干渉信号の発信元の基地局、すなわち周辺基地局を検出することができるという効果が得られる。
【図面の簡単な説明】
【００２５】
【図１】本発明の一実施形態の無線通信システムの構成を示すブロック図である。
【図２】図１に示した無線通信システムにおいて、マップを生成する場合の一動作例を説明するシーケンス図である。
【図３】図１に示した無線通信システムにおいて、マップを生成する場合の他の動作例を説明するシーケンス図である。
【図４】図１に示した無線通信システムにおいて、マップを生成する場合のさらに他の動作例を説明するシーケンス図である。
【図５】図１に示した無線通信システムにおいて、基地局の通信パラメータを変更する場合の一動作例を説明するシーケンス図である。
【図６】図５に示した強制ハンドオーバー処理の一変形例を説明するシーケンス図である。
【図７】図５に示した強制ハンドオーバー処理の他の変形例を説明するシーケンス図である。
【発明を実施するための形態】
【００２６】
以下に、本発明を実施するための最良の形態について図面を参照して説明する。
【００２７】
なお、以下の実施形態では、基地局が、フェムト基地局である場合を例に挙げて説明するが、本発明はこれに限定されない。
【００２８】
図１を参照すると、本実施形態の無線通信システムは、Ｎ（Ｎは２以上の自然数）個のフェムト基地局１０−１〜１０−Ｎと、移動局２０と、を有している。なお、図１においては、説明の簡素化のため、移動局２０を１つだけ図示しているが、移動局２０の数は１つに限定されない。
【００２９】
本実施形態は、フェムト基地局１０−１〜１０−Ｎの各々が、上位局を介さずに、周辺基地局および周辺基地局の通信パラメータを検出するものである。
【００３０】
そのため、本実施形態は、フェムト基地局１０−１〜１０−Ｎの上位局として制御局（Radio  Network  Controller）を有するＷ−ＣＤＭＡ（Wideband-Code  Division  Multiple  Access）等の無線通信システムと、制御局の機能を各フェムト基地局１０−１〜１０−Ｎに縮退させたＬＴＥ等の無線通信システムと、の双方に適用可能である。
【００３１】
なお、フェムト基地局１０−１〜１０−Ｎは、不図示のコアネットワーク（Core  Network）に接続されており、コアネットワークを介して相互に通信を行うことで、周辺基地局および周辺基地局の通信パラメータを検出することになる。
【００３２】
フェムト基地局１０−１〜１０−Ｎの各々は、通信部１１と、記憶部１２と、制御部１３と、を有している。なお、図１においては、フェムト基地局１０−２〜１０−Ｎの内部構成については省略している。
【００３３】
通信部１１は、移動局２０と無線通信を行うとともに、他のフェムト基地局１０とコアネットワークを介したネットワーク通信を行う。
【００３４】
記憶部１２は、各種の情報を記憶する。
【００３５】
制御部１３は、通信部１１および記憶部１２を制御して各種の処理を行う。
【００３６】
例えば、制御部１３は、以下のような処理を行う。
・移動局２０との間で通信部１１を介して通信中の無線信号に含まれる干渉信号の干渉量を測定する処理
・干渉源のフェムト基地局１０のＩＰアドレスおよびポート番号を検出する処理
・干渉源のフェムト基地局１０との間で、通信部１１を介して自局や周辺フェムト基地局の通信パラメータ（ＩＰアドレス、ポート番号等）を互いに通知する処理
・周辺フェムト基地局の通信パラメータを記録したマップを生成し記憶部１２に記憶させる処理
・マップを基にセルを再構成し、再構成前の旧セルに存在する移動局２０を、再構成後の新セルに強制的にハンドオーバーさせる処理
また、移動局２０は、通信部２１と、記憶部２２と、制御部２３と、を有している。
【００３７】
通信部２１は、フェムト基地局１０−１〜１０−Ｎの各々と無線通信を行う。
【００３８】
記憶部２２は、各種の情報を記憶する。
【００３９】
制御部２３は、通信部２１および記憶部２２を制御して各種の処理を行う。
【００４０】
例えば、制御部２３は、以下のような処理を行う。
・フェムト基地局１０との間で通信部２１を介して通信中の無線信号に含まれる干渉信号の干渉量を測定する処理
・干渉源のフェムト基地局１０のＩＰアドレスおよびポート番号を検出する処理
・通信中のフェムト基地局１０に、干渉源のフェムト基地局１０のＩＰアドレスおよびポート番号を通知する処理
以下、本実施形態の無線通信システムの動作について説明する。
【００４１】
（１）マップを生成する場合の動作
フェムト基地局１０−１〜１０−Ｎの各々は、周辺フェムト基地局の通信パラメータを記録したマップを生成する。ここでは、マップを生成する３つの動作例について説明する。
【００４２】
（１−１）マップ生成動作例１
本動作例は、フェムト基地局１０−１と移動局２０との通信中に、フェムト基地局１０−２が干渉源となったことをフェムト基地局１０−１にて検出し、これを契機としてフェムト基地局１０−１，１０−２の各々が、自局のマップに情報を記録する一例となる。
【００４３】
図２を参照すると、フェムト基地局１０−１の制御部１３は、ステップＡ１において、自セル内の移動局２０から受信したアップリンクの無線信号に干渉信号が含まれているか否かを判断する。
【００４４】
例えば、フェムト基地局１０−１の制御部１３は、ＳＩＲ（Signal  to  Interference  power  Ratio）、ＢＬＥＲ（BLock  Error  Rate）、Ｅｃ／ＮＯ（Received  energy  per  chip  divided  by  the  power  density  in  the  band）、ＲＴＷＰ（Received  Total  Wideband  Power）、セル更新（Cell  Update）回数、呼損回数、パケットの再送回数等を基に、無線信号に干渉信号が含まれているか否かを判断する。
【００４５】
なお、フェムト基地局１０−１の制御部１３において、無線信号に干渉信号が含まれているか否かを判断する方法の具体例としては、例えば、ＳＩＲの値を干渉量とした場合、ＳＩＲが所定の閾値以下であれば、干渉信号が含まれていると判断する方法が考えられるが、本発明はこれに限定されない。
【００４６】
フェムト基地局１０−１の制御部１３は、無線信号に干渉信号が含まれている場合、ステップＡ２において、その干渉信号に設定されている発信元のＩＰアドレスおよびポート番号を検出する。ここでは、検出したＩＰアドレスおよびポート番号が、フェムト基地局１０−２のものであるとする。
【００４７】
そのため、フェムト基地局１０−１の制御部１３は、フェムト基地局１０−２に対し、自局と、マップに記録済の他のフェムト基地局のうち以前に自局で検出したフェムト基地局と、の通信パラメータ（ＩＰアドレス、ポート番号、周波数、拡散符号（スクランブリングコード、チャネライゼーションコード））の情報を含むメッセージを送信する。
【００４８】
フェムト基地局１０−２の制御部１３は、フェムト基地局１０−１からのメッセージを受信すると、ステップＡ３において、そのメッセージに設定されている発信元のＩＰアドレスおよびポート番号を検出する。ここでは、検出したＩＰアドレスおよびポート番号が、フェムト基地局１０−１のものとなる。
【００４９】
そのため、フェムト基地局１０−２の制御部１３は、フェムト基地局１０−１に対し、自局と、マップに記録済の他のフェムト基地局のうち以前に自局で検出したフェムト基地局と、の通信パラメータ（ＩＰアドレス、ポート番号、周波数、拡散符号）の情報を含むメッセージを送信する。
【００５０】
そして、フェムト基地局１０−１，１０−２の各制御部１３は、ステップＡ４，Ａ５において、ステップＡ３，Ａ２で各々受信した他のフェムト基地局の通信パラメータ（ＩＰアドレス、ポート番号、周波数、拡散符号）の情報を、記憶部１２内のマップに記録する。フェムト基地局１０−１におけるマップの一例を表１に示す。なお、表１において、フラグは、自局が以前に検出したフェムト基地局を示すものである。
【００５１】
【表１】
2010106836.tif 000003
以上により、本動作例においては、フェムト基地局１０−１，１０−２の各々のマップには、自局が検出したフェムト基地局（隣接基地局）と、そのフェムト基地局が検出したフェムト基地局（隣接基地局に隣接する基地局）と、の通信パラメータを、周辺基地局の通信パラメータとして記録することができる。
【００５２】
（１−２）マップ生成動作例２
本動作例は、フェムト基地局１０−１と移動局２０との通信中に、フェムト基地局１０−２が干渉源となったことをフェムト基地局１０−１にて検出し、これを契機としてフェムト基地局１０−１，１０−２の各々が、自局のマップに情報を記録する他の例となる。
【００５３】
図３を参照すると、フェムト基地局１０−１の制御部１３は、ステップＢ１において、自セル内の移動局２０から受信したアップリンクの無線信号に干渉信号が含まれているか否かを判断する。
【００５４】
例えば、フェムト基地局１０−１の制御部１３は、ＳＩＲ、ＢＬＥＲ、Ｅｃ／ＮＯ、ＲＴＷＰ、セル更新回数、呼損回数、パケットの再送回数等を基に、無線信号に干渉信号が含まれているか否かを判断する。
【００５５】
フェムト基地局１０−１の制御部１３は、無線信号に干渉信号が含まれている場合、ステップＢ２において、その干渉信号に設定されている発信元のＩＰアドレスおよびポート番号を検出する。ここでは、検出したＩＰアドレスおよびポート番号が、フェムト基地局１０−２のものであるものとする。
【００５６】
そのため、フェムト基地局１０−１の制御部１３は、フェムト基地局１０−２に対し、自局の通信パラメータ（ＩＰアドレス、ポート番号、位置、周波数、拡散符号）の情報を含むメッセージを送信する。
【００５７】
なお、位置情報は、ＧＰＳ（Global  Positioning  System）を利用して取得した緯度、経度の情報を想定しているが、ＧＰＳ衛星からの電波を受信できない場合には、これに代えて、ＩＰアドレス、隣接セル情報、セルＩＤ等でもよい。
【００５８】
フェムト基地局１０−２の制御部１３は、フェムト基地局１０−１からのメッセージを受信すると、ステップＢ３において、そのメッセージに設定されている発信元のＩＰアドレスおよびポート番号を検出する。ここでは、検出したＩＰアドレスおよびポート番号が、フェムト基地局１０−１のものとなる。
【００５９】
そのため、フェムト基地局１０−２の制御部１３は、フェムト基地局１０−１の位置情報とマップに記録済の他のフェムト基地局の位置情報とを基に、フェムト基地局１０−１から一定範囲内に存在する他のフェムト基地局を特定する。さらに、フェムト基地局１０−２の制御部１３は、フェムト基地局１０−１に対し、自局と、上記で特定した他のフェムト基地局と、の通信パラメータ（ＩＰアドレス、ポート番号、位置、周波数、拡散符号）の情報を含むメッセージを送信する。このとき、フェムト基地局１０−２の制御部１３は、自局がフェムト基地局１０−１から一定範囲内に存在しない場合、自局の通信パラメータの情報は送信しなくてもよい。
【００６０】
次に、フェムト基地局１０−１の制御部１３は、ステップＢ４において、まず、フェムト基地局１０−２の位置情報とマップに記録済の他のフェムト基地局の位置情報とを基に、フェムト基地局１０−２から一定範囲内に存在する他のフェムト基地局を特定する。そして、フェムト基地局１０−１の制御部１３は、フェムト基地局１０−２に対し、上記で特定した他のフェムト基地局の通信パラメータ（ＩＰアドレス、ポート番号、位置、周波数、拡散符号）の情報を含むメッセージを送信する。
【００６１】
そして、フェムト基地局１０−１，１０−２の各制御部１３は、ステップＢ５，Ｂ６において、ステップＢ３，Ｂ２およびＢ４で各々受信した情報のうち、自局から一定範囲内に存在する他のフェムト基地局の通信パラメータ（ＩＰアドレス、ポート番号、位置、周波数、拡散符号）の情報を、記憶部１２内のマップに記録する。フェムト基地局１０−１におけるマップの一例を表２に示す。
【００６２】
【表２】
2010106836.tif 000004
以上により、本動作例においては、フェムト基地局１０−１，１０−２の各々のマップには、自局から一定範囲内に存在する他のフェムト基地局の通信パラメータを、周辺基地局の通信パラメータとして記録することができる。
【００６３】
（１−３）マップ生成動作例３
本動作例は、フェムト基地局１０−１と移動局２０との通信中に、フェムト基地局１０−２が干渉源となったことを移動局２０にて検出し、これを契機としてフェムト基地局１０−１，１０−２の各々が、自局のマップに情報を記録する一例となる。
【００６４】
図４を参照すると、移動局２０の制御部２３は、ステップＣ３において、フェムト基地局１０−１から受信したダウンリンクの無線信号に干渉信号が含まれているか否かを判断する。
【００６５】
例えば、移動局２０の制御部２３は、ＣＰＩＣＨ（Common  Pilot  Channel）の受信品質、ＤＰＣＨ（Dedicated  Physical  Channel）の受信品質、Ｐ−ＣＣＰＣＨ（Primary  Common  Control  Channel、ＦＡＣＨ（Forward  Access  Channel）上のＤＴＣＨ（Dedicated  Traffic  Channels）など）の受信品質を基に、無線信号に干渉信号が含まれているか否かを判断する。
【００６６】
なお、移動局２０の制御部２３において、無線信号に干渉信号が含まれているか否かを判断する方法の具体例としては、例えば、ＢＬＥＲの値を干渉量とした場合、ＢＬＥＲが所定の閾値以上であれば、干渉信号が含まれていると判断する方法や、ＣＰＩＣＨのＳＩＲの値を干渉量とした場合、ＳＩＲが所定の閾値以下であれば、干渉信号が含まれていると判断する方法が考えられるが、本発明はこれらに限定されない。
【００６７】
移動局２０の制御部２３は、無線信号に干渉信号が含まれている場合、ステップＣ４（またはＣ５，Ｃ６）において、その干渉信号に設定されている発信元のＩＰアドレスおよびポート番号を検出する。ここでは、検出したＩＰアドレスおよびポート番号が、フェムト基地局１０−２のものであるとする。なお、フェムト基地局１０−１，１０−２のＩＰアドレスおよびポート番号は、ステップＣ１，Ｃ２の各々において、ＢＣＨ（Broadcast  Channel）を介して受信した無線信号に設定されているものから取得するとする。
【００６８】
そのため、移動局２０の制御部２３は、フェムト基地局１０−１に対し、フェムト基地局１０−２のＩＰアドレスおよびポート番号を通知する。
【００６９】
このとき、移動局２０の制御部２３は、Ｉｄｌｅ状態であれば、ステップＣ４において、フェムト基地局１０−１にＲＡＣＨ（Random  Access  Channel）を介して送信する、ＲＲＣ（Radio  Resource  Control）コネクションの再接続を要求するＲＲＣ  Ｃｏｎｎｅｃｔｉｏｎ  Ｒｅｑｕｅｓｔメッセージにて上記通知を行う。
【００７０】
また、移動局２０の制御部２３は、Ｃｅｌｌ＿ＦＡＣＨ状態であれば、ステップＣ５において、フェムト基地局１０−１にＦＡＣＨを介して送信する、移動局２０で各種の通信測定を行った測定値を報告するＭｅａｓｕｒｅｍｅｎｔ  Ｒｅｐｏｒｔメッセージにて上記通知を行う。または、移動局２０は、ステップＣ６において、フェムト基地局１０−１にＲＡＣＨを介して送信する、ＲＲＣコネクションの再接続を要求するＣｅｌｌ  Ｕｐｄａｔｅメッセージにて上記通知を行う。
【００７１】
また、移動局２０の制御部２３は、Ｃｅｌｌ＿ＤＣＨ状態であれば、ステップＣ５において、フェムト基地局１０−１にＤＣＨを介して送信するＭｅａｓｕｒｅｍｅｎｔ  Ｒｅｐｏｒｔメッセージにて上記通知を行う。
【００７２】
なお、移動局２０は、上記のメッセージに限らず、フェムト基地局１０−１に送信する他のメッセージにて上記通知を行うこととしてもよい。
【００７３】
以降にフェムト基地局１０−１，１０−２間で行う動作は、図２のステップＡ２以降または図３のステップＢ２以降の動作と略同様である。
【００７４】
ただし、本動作例の場合、図２のステップＡ２，Ａ３では、以前に自局で検出したフェムト基地局１０の通信パラメータではなく、以前に移動局２０から通知されたフェムト基地局１０の通信パラメータを、通知することになる。
【００７５】
以上により、本動作例においては、移動局２０が干渉信号の発信元のフェムト基地局１０のＩＰアドレスおよびポート番号を検出する場合にも、フェムト基地局１０−１，１０−２の各々のマップに、周辺基地局の通信パラメータを記録することができる。
【００７６】
なお、マップ生成動作例１，２においては、フェムト基地局１０−１，１０−２の各制御部１３は、通信パラメータを、フェムト基地局１０−１，１０−２間で予め定めた暗号化方式で暗号化して互いに通知し、相手から通知された通信パラメータを復号して取得することとしてもよい。
【００７７】
また、マップ生成動作例３においては、フェムト基地局１０−１，１０−２の各制御部１３は、無線信号に設定する自局のＩＰアドレスおよびポート番号の情報をフェムト基地局１０−１，１０−２間で予め定めた暗号化方式で暗号化し、移動局２０の制御部２３は、干渉信号の発信元の暗号化されたＩＰアドレスおよびポート番号の情報をフェムト基地局１０−１に転送し、フェムト基地局１０−１の制御部１３は、移動局２０から送信されてきたＩＰアドレスの情報を復号して取得することとしてもよい。
【００７８】
（２）通信パラメータを変更する場合の動作
フェムト基地局１０−１〜１０−Ｎの各々は、移動局２０との間で通信中の無線信号に含まれる干渉信号の干渉量が所定の閾値以上になった場合、予め割り当てられた時間になった場合、隣接基地局との間の交渉（ネゴシエーション）により決定された時間になった場合、上記で生成したマップに基づいて通信パラメータを変更する。
【００７９】
ここでは、フェムト基地局１０−１で干渉量が所定の閾値以上になった場合に、通信パラメータを変更する動作について説明する。
【００８０】
図５を参照すると、フェムト基地局１０−１の制御部１３は、ステップＤ１において、移動局２０から受信したアップリンクの無線信号に含まれる干渉信号の干渉量を周期的に測定している。
【００８１】
例えば、フェムト基地局１０−１の制御部１３は、ＳＩＲ、ＢＬＥＲ、Ｅｃ／ＮＯ、ＲＴＷＰ、セル更新回数、呼損回数、パケットの再送回数等を基に、干渉量を測定する。
【００８２】
なお、フェムト基地局１０−１の制御部１３において、干渉量を測定する方法の具体例としては、例えば、干渉量としてＳＩＲの値を測定する方法が考えられるが、本発明はこれに限定されない。
【００８３】
なお、この測定は、フェムト基地局１０−１がアップリンクの無線信号について実施することに限らず、単一もしくは複数の移動局２０にダウンリンクの無線信号について実施させ、その測定結果をフェムト基地局１０−１に報告させてもよい。
【００８４】
この場合、単一もしくは複数の移動局２０の選択方法は、特定のＩＭＳＩ（International  Mobile  Subscriber  Identity）を基に選択する方法等の任意の方法としてよい。また、フェムト基地局１０−１は、自セル内の全ての移動局２０を選択してもよい。
【００８５】
また、この場合、移動局２０の制御部２３は、ＣＰＩＣＨの受信品質、ＤＰＣＨの受信品質、Ｐ−ＣＣＰＣＨの受信品質等を基に、干渉量を測定する。
【００８６】
なお、移動局２０の制御部２３において、干渉量を測定する方法の具体例としては、例えば、干渉量としてＢＬＥＲの値やＣＰＩＣＨのＳＩＲの値を測定する方法が考えられるが、本発明はこれに限定されない。
【００８７】
フェムト基地局１０−１の制御部１３は、ステップＤ２において、干渉量が所定の閾値以上であると判断した場合、ステップＤ３において、マップを基に、通信パラメータを変更したセルを新たに生成し、旧セルでＣｏｎｎｅｃｔｅｄ  Ｍｏｄｅにあった（自局とＲＲＣコネクションを確立していた）移動局２０を新セルに強制的にハンドオーバーさせる強制ハンドオーバー（ＨＯ：Handover）処理を行う。
【００８８】
なお、ステップＤ２で用いる、通信パラメータを変更する契機となる干渉量の閾値は、図２のステップＡ１で用いる、無線信号に干渉信号が含まれていると判断する干渉量の閾値以上になる。
【００８９】
ここで、通信パラメータを変更する方法としては、以下の方法が考えられる。
（ａ）マップに記録済みの他のフェムト基地局の中で、対象とする他のフェムト基地局を特定する。例えば、対象は、マップに記録済みの他のフェムト基地局の全てとするか、位置情報として緯度・経度が記録されている場合は（表２）、自局から一定の範囲内に存在する他のフェムト基地局とするか、または、位置情報としてＩＰアドレスが記録されている場合は、サブネットマスクが同一である他のフェムト基地局とする。
（ｂ）対象の他のフェムト基地局のいずれにも使用されていない周波数がある場合、その周波数に変更する。
（ｃ）対象の他のフェムト基地局のいずれにも使用されていない周波数が無い場合、対象のフェムト基地局のいずれにも使用されていない拡散符号に変更する。
（ｄ）対象の他のフェムト基地局のいずれにも使用されていない周波数や拡散符号が無い場合、他のフェムト基地局のいずれかに使用されている周波数の中で干渉が少ない周波数に変更するか、または、他のフェムト基地局のいずれかに使用されている拡散符号の中で干渉が少ない拡散符号に変更する。
【００９０】
ただし、通信パラメータを変更する方法は、上記の方法に限定されない。
【００９１】
ここで、ステップＤ３の強制ハンドオーバー処理について詳細に説明する。
【００９２】
図５を参照すると、フェムト基地局１０−１の制御部１３は、まず、ステップＥ１において、旧セルでＣｏｎｎｅｃｔｅｄ  Ｍｏｄｅにあった全ての移動局２０に対し、ＲＲＣコネクションの切断を指示するＲＲＣ切断指示メッセージ（例えば、ＲＲＣ  Ｃｏｎｎｅｃｔｉｏｎ  Ｒｅｌｅａｓｅメッセージ等）を送信する。
【００９３】
このとき、フェムト基地局１０−１の制御部１３は、ＲＲＣ切断指示メッセージにおいて、新セルとの接続に必要な以下のような通信パラメータを通知する。
【００９４】
・新セルの周波数
・新セルのチャネルタイプ
・新セルのサービス情報（ＭＩＭＯ（Multiple  Input  Multiple  Output）、ＨＳＰＡ（High  Speed  Packet  Access）等）
・新セルのダウンリンクレート／アップリンクレート
・新セルのスクランブリングコード（Scrambling  Code）
・新セルのチャネライゼーションコード（Channelisation  Code）
その他にも、フェムト基地局１０−１の制御部１３は、以下のような通信パラメータを通知してもよい。
【００９５】
・ＲＮＴＩ（Radio  Network  Temporary  Identity）
・Ｃｉｐｈｅｒｉｎｇの情報
・ＭＢＭＳ（Multimedia  Broadcast  Multicast  Service）の情報。例えば、ＭＢＭＳ用のＭＩＣＨ（MBMS  Indicator  Channel）、ＭＣＣＨ（MBMS  Control  Channel）、ＭＴＣＨ（MBMS  Traffic  Channel）に関連する情報（拡散符号の情報やＳＡＩ（Service  Area  Identification）の情報等)や、ＭＢＭＳ用のデータ送信を再開するまでのＡｃｔｉｖａｔｉｏｎ  Ｔｉｍｅ等の時間情報
移動局２０の制御部２３は、フェムト基地局１０−１からＲＲＣ切断指示メッセージを受信すると、ステップＥ２において、ＲＲＣコネクションを切断する。これにより、移動局２０とフェムト基地局１０−１間の無線通信が停止する。
【００９６】
その後、フェムト基地局１０−１の制御部１３は、ステップＥ３，Ｅ４において、旧セルを削除するとともに、旧セルから通信パラメータを変更した新セルを生成し、それにより、セルを再構成する。
【００９７】
移動局２０の制御部２３は、ステップＥ５において、新セルを検出すると、ステップＥ６において、Ａｃｔｉｖａｔｉｏｎ  Ｔｉｍｅの経過後に、ＲＲＣ切断指示メッセージで通知された通信パラメータを用いて、新セルでＲＲＣコネクションを確立し、新セルを介してフェムト基地局１０−１との無線通信を再開する。
【００９８】
なお、ステップＤ３の強制ハンドオーバー処理においては、オプションとして、使用者認証を行うことも可能である。使用者認証は、移動局２０によるトラヒックの乗っ取りを防止するために活用できる。この場合の処理について、図６を参照して説明する。なお、図６において、図５と同様の部分には、同様の符号を付している。
【００９９】
図６を参照すると、フェムト基地局１０−１の制御部１３は、ステップＥ１において、旧セルでＣｏｎｎｅｃｔｅｄ  Ｍｏｄｅにあった全ての移動局２０に対し、ＲＲＣ切断指示メッセージを送信する際に、これら全ての移動局２０に証明書を発行する。このとき、Ａｃｔｉｖａｔｉｏｎ  Ｔｉｍｅの通知を行う必要はない。
【０１００】
移動局２０の制御部２３は、フェムト基地局１０−１から証明書を受信すると、ステップＥ５において、新セルを検出した後、ステップＥ７において、フェムト基地局１０−１に対し、証明書を含む、ＲＲＣコネクションの再接続を要求する再接続要求メッセージ（例えば、ＲＲＣ  Ｃｏｎｎｅｃｔｉｏｎ  Ｒｅｑｕｅｓｔメッセージ、Ｃｅｌｌ  Ｕｐｄａｔｅメッセージ等）を送信する。
【０１０１】
フェムト基地局１０−１の制御部１３は、移動局２０から証明書を含む再接続要求メッセージを受信すると、ステップＥ８において、証明書を用いて、移動局２０の認証を行い、認証が完了すると、ステップＥ９において、移動局２０に対し、ＲＲＣコネクションの再接続を指示する再接続指示メッセージ（例えば、ＲＲＣ  Ｃｏｎｎｅｃｔｉｏｎ  Ｓｅｔｕｐメッセージ、Ｃｅｌｌ  Ｕｐｄａｔｅ  Ｃｏｎｆｉｒｍメッセージ等）を送信する。このとき、再接続指示メッセージでも通信パラメータを通知するが、ＲＲＣ切断要求メッセージですでに通知した通信パラメータについては省略することができる。
【０１０２】
移動局２０の制御部２３は、フェムト基地局１０−１から再接続指示メッセージを受信すると、ステップＥ１０において、フェムト基地局１０−１に対し、ＲＲＣコネクションの再接続の完了を通知する再接続完了通知メッセージ（例えば、ＲＲＣ  Ｃｏｎｎｅｃｔｉｏｎ  Ｓｅｔｕｐ  Ｃｏｍｐｌｅｔｅメッセージ、ＲＢ  Ｓｅｔｕｐ  Ｃｏｍｐｌｅｔｅメッセージ、Ｔｒａｎｓｐｏｒｔ  Ｃｈａｎｎｅｌ  Ｒｅｃｏｎｆｉｇｕｒａｔｉｏｎ  Ｃｏｍｐｌｅｔｅメッセージ等）を送信し、ステップＥ６において、新セルを介してフェムト基地局１０−１との無線通信を再開する。
【０１０３】
なお、図６においては、フェムト基地局１０−１の制御部１３は、移動局２０からＩＭＳＩやＴＭＳＩ（Temporary  Mobile  Subscriber  Identity）を通知してもらうことにすれば、ステップＥ１において、証明書を発行する処理を省略することも可能である。
【０１０４】
また、ステップＤ３の強制ハンドオーバー処理においては、オプションとして、旧セルでＣｏｎｎｅｃｔｅｄ  Ｍｏｄｅ以外の移動局２０に対して、新セルへの移動を指示するために、ＳＩ（System  Information）の更新を行うことも可能である。この場合の処理について図７を参照して説明する。なお、図７において、図５と同様の部分には、同様の符号を付している。
【０１０５】
図７を参照すると、フェムト基地局１０−１の制御部１３は、ステップＥ１１において、ＳＩに含まれる、新セルの周波数、ＭＩＣＨ、Ｓ−ＣＣＰＣＨ（Secondary  Common  Control  Physical  Channel）、ＦＡＣＨ、ＰＣＨ（Paging  Channel）、ＭＣＣＨ、ＭＴＣＨ、スクランブリングコード（ＬＴＥの場合はＰＣＩ（Physical  Cell  ID））等の情報を更新し、ステップＥ１２において、更新したＳＩを移動局２０に配信する。
【０１０６】
なお、ＳＩには、新セルの周波数として、複数の候補周波数を含めることができる。また、複数の候補周波数の各々に優先順位をつけることもできる。一方で、フェムト基地局１０−１がＣｏｎｎｅｃｔｅｄ  Ｍｏｄｅ以外の移動局２０を新セルに在圏させるために、ＳＩに含める周波数を新セルの周波数のみにしてもよい。
【０１０７】
その後、フェムト基地局１０−１の制御部１３は、ステップＥ１３において、Ｃｏｎｎｅｃｔｅｄ  Ｍｏｄｅ以外の移動局２０のうち、Ｃｅｌｌ＿ＦＡＣＨ状態やＣｅｌｌ＿ＰＣＨ状態にある移動局２０に対して、ＳＩが変更されたことを通知するＳｙｓｔｅｍ  Ｉｎｆｏｒｍａｔｉｏｎ  Ｃｈａｎｇｅ  Ｉｎｄｉｃａｔｉｏｎメッセージを送信する。
【０１０８】
上述したように本実施形態においては、フェムト基地局１０−１〜１０−Ｎの各々は、通信中の移動局２０から受信した無線信号に含まれる干渉信号の発信元のフェムト基地局のＩＰアドレスを検出する。
【０１０９】
または、移動局２０は、通信中のフェムト基地局１０から受信した無線信号に含まれる干渉信号の発信元のフェムト基地局１０のＩＰアドレスを検出し、通信中のフェムト基地局１０に通知する。
【０１１０】
そのため、フェムト基地局１０−１〜１０−Ｎの各々は、上位局を介さなくても、干渉信号の発信元のフェムト基地局１０、すなわち周辺にあるフェムト基地局１０を検出することができるという効果が得られる。
【０１１１】
また、本実施形態においては、フェムト基地局１０−１〜１０−Ｎの各々は、干渉信号の発信元のフェムト基地局１０のＩＰアドレスを基に、干渉信号の発信元の基地局との間で、自局や周辺にあるフェムト基地局の通信パラメータを互いに通知する。
【０１１２】
そのため、フェムト基地局１０−１〜１０−Ｎの各々は、上位局を介さなくても、周辺にあるフェムト基地局１０の通信パラメータを検出することができ、その結果、干渉の少ない通信パラメータを知ることができるという効果が得られる。
【０１１３】
また、本実施形態においては、フェムト基地局１０−１〜１０−Ｎの各々は、セルを再構成する場合、再構成前の旧セルに存在する移動局２０に対し、再構成後の新セルの通信パラメータを通知する。
【０１１４】
そのため、フェムト基地局１０がセルを再構成した際に、移動局２０は、新セルとの通信をスムーズに開始することができるという効果が得られる。
【０１１５】
以上、実施形態を参照して本発明を説明したが、本発明は上記実施形態に限定されるものではない。本発明の構成や詳細には、本発明の範囲内で当業者が理解し得る様々な変更をすることができる。
【０１１６】
例えば、本発明のフェムト基地局１０−１〜１０−Ｎおよび移動局２０にて行われる方法は、コンピュータに実行させるためのプログラムに適用してもよい。また、そのプログラムを記憶媒体に格納することも可能であり、ネットワークを介して外部に提供することも可能である。
【０１１７】
本出願は、２００９年３月１６日に出願された日本出願特願２００９−０６２５８７を基礎とする優先権を主張し、その開示の全てをここに取り込む。
【図１】
2010106836.tif 000005
【図２】
2010106836.tif 000006
【図３】
2010106836.tif 000007
【図４】
2010106836.tif 000008
【図５】
2010106836.tif 000009
【図６】
2010106836.tif 000010
【図７】
2010106836.tif 000011
【国際調査報告】
2010106836.tif 000012
2010106836.tif 000013